(57)【要約】【課題】  封止されたディスク媒体筐体を提供する。【解決手段】  封止されたディスク媒体筐体が提供される。一例では、封止されたディスク媒体筐体は、多孔性物質で形成される媒体筐体構造であって、ディスク媒体チャンバおよび一方の側に設けられたチャンバ開口部を含む媒体筐体構造と、ディスク媒体チャンバに配置された１つまたは複数のディスク媒体と、媒体筐体構造の少なくとも一部の上のダイヤモンドライクカーボン（ＤＬＣ）コーティングであって、気体分子が媒体筐体構造を通過するのを防ぐＤＬＣコーティングと、媒体筐体構造に取り付けられ、チャンバ開口部を実質的に封止するカバーと、を含むとともに、所定の気体または混合気体が、ディスク媒体チャンバ内に封止されている。【選択図】  図１
2015201248.tif 000002
【特許請求の範囲】
【請求項１】
封止されたディスク媒体筐体であって、
多孔性物質で形成される媒体筐体構造であって、ディスク媒体チャンバおよび一方の側に設けられたチャンバ開口部を含む媒体筐体構造と、
前記ディスク媒体チャンバに配置された１つまたは複数のディスク媒体と、
前記媒体筐体構造の少なくとも一部の上のダイヤモンドライクカーボン（ＤＬＣ）コーティングであって、気体分子が前記媒体筐体構造を通過するのを防ぐＤＬＣコーティングと、
前記媒体筐体構造に取り付けられ、前記チャンバ開口部を実質的に封止するカバーと、
を備えるとともに、
所定の気体または混合気体が、前記ディスク媒体チャンバ内に封止されている、
封止されたディスク媒体筐体。
【請求項２】
前記ＤＬＣコーティングが、アモルファスカーボンコーティングを含む、
請求項１に記載の封止されたディスク媒体筐体。
【請求項３】
前記ＤＬＣコーティングが、前記ディスク媒体チャンバの１つまたは複数の内側表面にわたって延在する、
請求項１に記載の封止されたディスク媒体筐体。
【請求項４】
前記ＤＬＣコーティングが、前記媒体筐体構造の１つまたは複数の外側表面にわたって延在する、
請求項１に記載の封止されたディスク媒体筐体。
【請求項５】
前記ディスク媒体チャンバが、大気圧未満で前記所定の気体または混合気体で満たされている、
請求項１に記載の封止されたディスク媒体筐体。
【請求項６】
前記所定の気体または混合気体が、ヘリウムガスを含む、
請求項１に記載の封止されたディスク媒体筐体。
【請求項７】
前記カバーが、前記ＤＬＣコーティングで被覆されている、
請求項１に記載の封止されたディスク媒体筐体。
【請求項８】
封止されたディスク媒体筐体であって、
アルミニウムで形成される媒体筐体構造であって、ディスク媒体チャンバおよび一方の側に設けられたチャンバ開口部を含む媒体筐体構造と、
前記ディスク媒体チャンバに配置された１つまたは複数のディスク媒体と、
前記媒体筐体構造の少なくとも一部の上のダイヤモンドライクカーボン（ＤＬＣ）コーティングであって、気体分子が前記媒体筐体構造を通過するのを防ぐＤＬＣコーティングと、
前記ディスク媒体チャンバ内の前記媒体筐体構造に取り付けられる第１のカバーであって、所定の気体または混合気体が内部に封止されている第１のチャンバを形成する第１のカバーと、
前記媒体筐体構造に取り付けられ、前記チャンバ開口部を実質的に封止する第２のカバーであって、前記第１のカバーから距離を置いて配置されるとともに、前記第１のカバーと前記第２のカバーとの間に第２のチャンバを形成する第２のカバーと、
を備える、
封止されたディスク媒体筐体。
【請求項９】
前記ＤＬＣコーティングが、アモルファスカーボンコーティングを含む、
請求項８に記載の封止されたディスク媒体筐体。
【請求項１０】
前記ＤＬＣコーティングが、前記第１のチャンバおよび前記第２のチャンバの一方または両方の１つまたは複数の内側表面にわたって延在する、
請求項８に記載の封止されたディスク媒体筐体。
【請求項１１】
前記ＤＬＣコーティングが、前記媒体筐体構造の１つまたは複数の外側表面にわたって延在する、
請求項８に記載の封止されたディスク媒体筐体。
【請求項１２】
前記第１のチャンバが、大気圧未満で前記所定の気体または混合気体で満たされている、
請求項８に記載の封止されたディスク媒体筐体。
【請求項１３】
前記所定の気体または混合気体が、ヘリウムガスを含む、
請求項８に記載の封止されたディスク媒体筐体。
【請求項１４】
前記第１のカバーおよび前記第２のカバーの一方または両方が、前記ＤＬＣコーティングで被覆されている、
請求項８に記載の封止されたディスク媒体筐体。
【請求項１５】
封止されたディスク媒体筐体を作製する方法であって、
多孔性材料からなる媒体筐体構造であって、ディスク媒体チャンバおよび一方の側に設けられたチャンバ開口部を含む媒体筐体構造を形成するステップと、
前記媒体筐体構造の少なくとも一部を、ダイヤモンドライクカーボン（ＤＬＣ）コーティングであって、気体分子が前記媒体筐体構造を通過するのを防ぐＤＬＣコーティングで被覆するステップと、
前記ディスク媒体チャンバに１つまたは複数のディスク媒体を設けるステップと、
前記媒体筐体構造にカバーを取り付けて、前記チャンバ開口部を実質的に封止するステップと、
を含むとともに、
所定の気体または混合気体が、前記ディスク媒体チャンバ内に封止されている、
封止されたディスク媒体筐体を作製する方法。
【請求項１６】
前記ＤＬＣコーティングが、アモルファスカーボンコーティングを含む、
請求項１５に記載の方法。
【請求項１７】
前記ＤＬＣコーティングが、前記ディスク媒体チャンバの１つまたは複数の内側表面にわたって延在する、
請求項１５に記載の方法。
【請求項１８】
前記ＤＬＣコーティングが、前記媒体筐体構造の１つまたは複数の外側表面にわたって延在する、
請求項１５に記載の方法。
【請求項１９】
前記ディスク媒体チャンバが、大気圧未満で前記所定の気体または混合気体で満たされている、
請求項１５に記載の方法。
【請求項２０】
前記所定の気体または混合気体が、ヘリウムガスを含む、
請求項１５に記載の方法。
【発明の詳細な説明】
【技術分野】
【０００１】
本開示の態様は、データストレージシステムの分野に関し、特に封止されたディスク媒体筐体に関する。
【背景技術】
【０００２】
ハードディスクドライブ（ＨＤＤ）は、デジタル情報を格納する電子記憶装置を備える。ＨＤＤは、１つまたは複数のディスクを含む。ディスクは通常、大量のデジタル情報を格納することができる光学媒体もしくは磁気媒体を備える。ディスクは、１つまたは複数のディスク上でデジタル情報を読み取りまたは書き込みするために回転する。
【発明の概要】
【発明が解決しようとする課題】
【０００３】
ＨＤＤ装置に生じ得る問題は、ディスク表面の酸化である。酸化した層が、ディスクからの読み取りまたはディスクへの書き込みを妨げる可能性がある。酸化がそれほど厚くなくても、ディスクの読み取りおよび書き込み動作が妨げられる。したがって、ＨＤＤ装置のメーカーは、ＨＤＤ装置内の酸素および／または湿気を除去して、酸素および湿気がＨＤＤ装置に入り込むのを防ぐ対策を講じている。
【０００４】
酸化を防ぐことに対するこれまでのアプローチは、ＨＤＤ装置を封止することであった。しかしながら、ＨＤＤ装置の寿命が続く間ずっと気密性があるＨＤＤ筐体を作り出すことは未解決の課題であった。
【課題を解決するための手段】
【０００５】
封止されたディスク媒体筐体が提供される。一例では、封止されたディスク媒体筐体は、多孔性物質で形成される媒体筐体構造であって、ディスク媒体チャンバおよび一方の側に設けられたチャンバ開口部を含む媒体筐体構造と、ディスク媒体チャンバに配置された１つまたは複数のディスク媒体と、媒体筐体構造の少なくとも一部の上のダイヤモンドライクカーボン（ＤＬＣ）コーティングであって、気体分子が媒体筐体構造を通過するのを防ぐＤＬＣコーティングと、媒体筐体構造に取り付けられ、チャンバ開口部を実質的に封止するカバーと、を含むとともに、所定の気体または混合気体が、ディスク媒体チャンバ内に封止されている。所定の気体または混合気体は、ディスク媒体ストレージシステム内部の水および酸素の存在および影響を最小限に抑える。
【図面の簡単な説明】
【０００６】
【図１】例示的なディスク媒体ストレージシステムを示す。
【図２】図１のディスク媒体ストレージシステムのＡ−Ａ断面図を示す。
【図３】図１のディスク媒体ストレージシステムの別のＡ−Ａ断面図を示す。
【図４】別の例示的なディスク媒体ストレージシステムを示す。
【図５】図４のディスク媒体ストレージシステムのＢ−Ｂ断面図を示す。
【図６】ステンレス鋼製（ＳＵＳ）カバープレートの、原子含有率対スパッタリング時間を示すグラフである。
【図７】炭素含有率が大幅に増加している、ＳＵＳカバープレートの別のグラフである。
【発明を実施するための形態】
【０００７】
以下の記載および関連する図面は、本発明の最良の形態を教示する。本発明の原理を教示するために、最良の形態の従来の態様の一部が単純化または省略されている場合もある。以下の特許請求の範囲が、本発明の範囲を特定する。最良の形態のうちの一部の態様は、特許請求の範囲によって特定される本発明の範囲内に該当しない場合もある。したがって、当業者にとって明らかなように、最良の形態からの変形例も本発明の範囲内に含まれる。また、当業者にとって明らかなように、後述の特徴を様々な方法で組み合わせることにより本発明の複数の変形例を形成することもできる。したがって、本発明は、後述の具体例に限定されるものではなく、特許請求の範囲およびその均等物によってのみ限定されるものである。
【０００８】
図１は、例示的なディスク媒体ストレージシステム１００を示す。いくつかの例では、ディスク媒体ストレージシステム１００は、１つまたは複数のディスク媒体１２０を含むハードディスクドライブ（ＨＤＤ）を備える。ディスク媒体ストレージシステム１００は、媒体筐体構造１１０と、媒体筐体構造１１０に形成されたディスク媒体チャンバ１１３と、ディスク媒体チャンバ１１３に形成され、シャフト孔１１７を含むスピンドル基部１１６と、ディスク媒体チャンバ１１３に配置され、かつ、スピンドル基部１１６のシャフト孔１１７と同軸である１つまたは複数のディスク媒体１２０と、ディスク１２０間に位置決めされた、１つまたは複数の対応するスペーサ１２１と、１つまたは複数のディスク媒体１２０の頂部ディスク上に配置される頂部スペーサ１２３と、ディスク媒体チャンバ１１３に配置され、かつ、１つまたは複数のディスク媒体１２０と相互に作用するように位置決めされた読み取り／書き込みヘッド１３０と、媒体筐体構造１１０に封止して取り付けられたカバー１４０と、を含む。これ以外の構成部品が、ディスク媒体ストレージシステム１００に含まれ得るが、わかり易くするために省略する。
【０００９】
上記の構成部品に加え、媒体筐体構造１１０の少なくとも一部の上に、非多孔性コーティング１１４が形成される（図２〜５参照）。一例では、非多孔性コーティング１１４は、ダイヤモンドライクカーボン（ＤＬＣ）から成る。別の例では、非多孔性コーティング１１４は、アモルファスカーボンから成る。アモルファスカーボンは、ＤＬＣの部分集合から成る。
【００１０】
ＤＬＣは、ダイヤモンドの典型的な特性のいくつかを呈する様々な変形および形態の炭素材料として存在する。これらのＤＬＣ形態は通常、他の材料へのコーティングとして適用され、すべてのＤＬＣ形態が、かなりの量のｓｐ３混成炭素原子を含有する。２つの結晶質炭素ポリタイプをさまざまな方法で、ナノスケールレベル構造で混合することにより、ＤＬＣコーティングは、無定形で、柔軟性でありながら、しかも同時に純粋にｓｐ３結合したダイヤモンドのように形成することが可能である。最も硬く、最も強く、かつ最も滑らかなＤＬＣ形態は、テトラヘドラルアモルファスカーボン（ｔａ−Ｃ）として知られる混合物である。そのようなＤＬＣのｔａ−Ｃ形態は、ｓｐ３結合した炭素原子のみから構成されているため、ＤＬＣの純粋な形態であると見なされる。
【００１１】
非多孔性コーティング１１４は、媒体筐体構造１１０の１つまたは複数の内側表面上に形成することが可能である。この代わりに、またはこれに加えて、非多孔性コーティング１１４は、媒体筐体構造１１０の１つまたは複数の外側表面上に形成することが可能である。
【００１２】
１つまたは複数のディスク媒体１２０は、独立して読み取りおよび書き込みされる、複数のディスクとすることができる。この代わりに、ディスク媒体ストレージシステム１００は、各ディスクに対してデータが同時に読み取りおよび書き込みされる、レイド（ＲＡＩＤ：Ｒｅｄｕｎｄａｎｔ  Ａｒｒａｙ  ｏｆ  Ｉｎｅｘｐｅｎｓｉｖｅ／Ｉｎｄｅｐｅｎｄｅｎｔ  Ｄｉｓｋｓ）装置とすることができる。
【００１３】
１つまたは複数のディスク媒体１２０は、光学ビームを使用して１つまたは複数のディスク媒体１２０上でデータの読み取りおよび書き込みを行う光学ディスクとすることができる。この代わりに、１つまたは複数のディスク媒体１２０は、磁束を使用して１つまたは複数のディスク媒体１２０上でデータの読み取りおよび書き込みを行う磁気ディスクとすることができる。ただし、１つまたは複数のディスク媒体１２０は、あらゆる適切なディスク媒体とすることができる。
【００１４】
１つまたは複数のディスク媒体１２０上に薄い酸化した層があるだけでも、ディスクの読み取りおよび書き込み動作を妨げる可能性があるディスク媒体にとって、酸化は懸念事項である。したがって、ディスク媒体ストレージシステム１００内部の酸素および／または水粒子の存在を最小限に抑えるために、いくつかの例では、ディスク媒体チャンバ１１３は封止されて、所定の気体または混合気体で満たされる。所定の気体または混合気体は、例えばヘリウムガスのような不活性気体とすることができる。ディスク媒体チャンバ１１３が、実質的に純粋なヘリウムガスで満たされる場合には、ディスク媒体ストレージシステム１００内の酸化の危険性が最小限に抑えられる。
【００１５】
不活性気体が、ディスク媒体１２０の酸化を防ぐか、または最小限に抑える。さらに、非多孔性コーティング１１４は、例えば、ディスク媒体チャンバ１１３内の酸化を抑制する、酸化防止剤コーティングとすることができる。
【００１６】
さらに、ディスク媒体チャンバ１１３内の所定の気体または混合気体は、大気圧未満であってもよい。減圧は、特に気体が空気よりも小さい気体分子を含む場合には、気体の漏れおよび損失を最小限に抑える。もしもディスク媒体ストレージシステム１００の内部の気体の圧力が、大気圧以上であるならば、気体はさらに高速で媒体筐体構造１１０を通過して拡散するであろう。
【００１７】
媒体筐体構造１１０は、多孔性材料で形成される。いくつかの例では、媒体筐体構造１１０はアルミニウムで形成される。いくつかの例では、媒体筐体構造１１０は鋳造アルミニウムまたはダイカストアルミニウムで形成することが可能である。この代わりに、媒体筐体構造１１０は、多孔性金属または多孔性合金、炭素複合材料、黒鉛、プラスチック、セラミックスなどの、他の多孔性材料で形成することが可能である。
【００１８】
アルミニウムは、少なくとも部分的に気体分子に対して多孔性である。ディスク媒体ストレージシステム１００内の気体が大気圧よりも低い場合には、多孔度がさらに顕著になる。さらに、気体がヘリウムガス分子のような小型分子を含む場合には、多孔度はさらに顕著になる。ヘリウムガス分子は単原子であり、ヘリウムが固体を通過して拡散する速度は、空気の拡散速度の３倍である。
【００１９】
媒体筐体構造１１０は、媒体筐体構造１１０の１つまたは複数の表面の少なくとも一部分に非多孔性コーティング１１４を塗布することにより、非多孔性になる（図２〜３および付随する説明を参照されたい）。非多孔性コーティング１１４は、カバー１４０と組み合わせて、ディスク媒体ストレージシステム１００を、ディスク媒体ストレージシステム１００の内部に封止された気体に対して実質的に非多孔性にする。非多孔性コーティング１１４は、媒体筐体構造１１０を、ヘリウムガスに対して実質的に非多孔性にする。
【００２０】
いくつかの例では、非多孔性コーティング１１４は、媒体筐体構造１１０の１つまたは複数の表面上に形成されたＤＬＣコーティングから成る。他の例では、非多孔性コーティング１１４は、アモルファスカーボンコーティングから成る。
【００２１】
非多孔性コーティング１１４は、任意の適切な方法を使用して、媒体筐体構造１１０上に形成することが可能である。例えば、非多孔性コーティング１１４は、プラズマ助成式化学気相蒸着法（ＣＶＤ）、イオンビーム蒸着法、物理気相蒸着法（ＰＶＤ）またはその他のタイプのコーティング形成によって媒体筐体構造１１０上に形成することが可能である。
【００２２】
いくつかの例では、非多孔性コーティング１１４は、１ナノメートル（ｎｍ）〜１０，０００ｎｍの厚さである。しかしながら、この厚さの例は、例示のために与えられたものであり、限定するためのものではない。非多孔性コーティング１１４は、任意の適切な厚さで形成することが可能である。
【００２３】
いくつかの例では、カバー１４０は、気体に対して実質的に非多孔性である。カバー１４０は、金属製カバーとすることができる。カバー１４０は、ステンレス鋼すなわちサス（ＳＵＳ）製カバーとすることができる。カバー１４０は、ステンレス鋼合金で形成することが可能である。カバー１４０は、アルミニウム合金で形成することが可能である。この代わりに、またはこれに加えて、カバー１４０は、内側カバー表面または外側カバー表面のいずれか一方の上に、もしくは両方の上に非多孔性コーティング１１４を含むことができる（図３参照）。
【００２４】
カバー１４０は、ディスク媒体ストレージシステム１００を実質的に気密にするために、媒体筐体構造１１０に封止して取り付けられる。いくつかの例では、カバー１４０は、媒体筐体構造１１０に、例えばレーザ溶接または任意の他の適切なタイプの溶接が可能である。この代わりに、カバー１４０は、例えば接着剤または結合剤、ガスケットおよび締め具などの他の方法によって、または任意の他の適切な取り付け方法または取り付け装置を使用して、媒体筐体構造１１０に封止して取り付けることが可能である。カバー１４０は、非多孔性コーティング１１４が媒体筐体構造１１０上に形成される前に、もしくは形成された後に、媒体筐体構造１１０に取り付けることが可能である。さらに、カバー１４０は、非多孔性コーティング１１４がカバー１４０上に形成される前に、もしくは形成された後に、媒体筐体構造１１０に取り付けることが可能である。
【００２５】
図２は、図１のディスク媒体ストレージシステム１００のＡ−Ａ断面図を示す。この例では、ディスク媒体ストレージシステム１００は、媒体筐体構造１１０と、媒体筐体構造１１０に形成されたディスク媒体チャンバ１１３と、ディスク媒体チャンバ１１３に形成されたスピンドル基部１１６と、を含む。ディスク媒体ストレージシステム１００内部の酸素および／または水粒子の存在、および影響を最小限に抑えるために、いくつかの例では、ディスク媒体チャンバ１１３は封止されて、所定の気体または混合気体で満たされる。スピンドル基部１１６は、シャフト孔１１７を含み、シャフト孔１１７は、１つまたは複数のディスク媒体１２０を回転させるシャフト１１９を受け入れる。１つまたは複数のディスク媒体１２０は、ディスク媒体チャンバ１１３に配置され、かつ、スピンドル基部１１６のシャフト孔１１７と同軸である。スペーサ１２１は、個々のディスク媒体１２０間に位置決めされる。頂部スペーサ１２３は、１つまたは複数のディスク媒体１２０の頂部ディスク上に配置され、スペーサ１２１および頂部スペーサ１２３は、所定の間隔をあけて１つまたは複数のディスク媒体１２０を保持する。読み取り／書き込みヘッド１３０は、わかり易くするために示していない。
【００２６】
カバー１４０は、媒体筐体構造１１０を封止し、ディスク媒体ストレージシステム１００を実質的に気密にするために、媒体筐体構造１１０に封止して取り付けられている。非多孔性コーティング１１４は、ディスク媒体チャンバ１１３の１つまたは複数の内側表面上に形成されている。上述したように、封止されたディスク媒体チャンバ１１３は、所定の気体または混合気体で満たされる。非多孔性コーティング１１４は、媒体筐体構造１１０を、気体分子に対して、たとえそれらが例えばヘリウムガス分子のような小型気体分子であったとしても、実質的に非多孔性にする。したがって、所定の気体または混合気体は、媒体筐体構造１１０を通過して拡散することができない。
【００２７】
すでに説明したように、いくつかの例では、カバー１４０は、媒体筐体構造１１０に、例えばレーザ溶接または任意の他の適切なタイプの溶接が可能である。溶接部１７０の大きさは、わかり易くするために図では誇張されている。さらに、溶接部１７０は、媒体筐体構造１１０および／またはカバー１４０からの材料で形成されてもよい。外部から供給された溶接材料を含まなくてもよい。この代わりに、シール１７０は、媒体筐体構造１１０とカバー１４０との間に位置決めすることができる。
【００２８】
図３は、図１のディスク媒体ストレージシステム１００の別のＡ−Ａ断面図を示す。この例では、ディスク媒体ストレージシステム１００は、媒体筐体構造１１０の１つまたは複数の外側表面上に非多孔性コーティング１１４を含む。さらに、ディスク媒体ストレージシステム１００は、カバー１４０の１つまたは複数の外側表面上または内側表面上に、非多孔性コーティング１１４を任意で含むことができる。非多孔性コーティング１１４は、図２における機能と同じ機能を果たし、気体分子が媒体筐体構造１１０を通過して流出するのを防ぐ。ディスク媒体ストレージシステム１００内部の水および酸素の影響を最小限に抑えるために、媒体筐体構造１１０もまた所定の気体または混合気体で満たされる。
【００２９】
すでに説明したように、媒体筐体構造１１０は、媒体筐体構造１１０に取り付けられたカバー１４０によって封止することが可能である。カバー１４０は、気体に対して実質的に非多孔性であり得る。すでに説明したように、カバー１４０は非多孔性コーティング１１４を含むことができる。いくつかの例では、非多孔性コーティング１１４は、媒体筐体構造１１０の１つまたは複数の外側表面全体の上に形成することが可能である。他の例では、非多孔性コーティング１１４は、カバー１４０および、溶接部またはシール１７０（図示せず）を含む外側表面上に形成することが可能である。
【００３０】
図４は、別の例示的なディスク媒体ストレージシステム４００を示す。いくつかの例では、ディスク媒体ストレージシステム４００は、１つまたは複数のディスク媒体４２０を含むハードディスクドライブ（ＨＤＤ）を備える。ディスク媒体ストレージシステム４００は、媒体筐体構造４１０と、媒体筐体構造４１０に形成されたスピンドル基部４１６に形成された、ディスク媒体チャンバ４１３と、スピンドル基部４１６に形成されたシャフト孔４１７と、ディスク媒体チャンバ４１３に配置され、かつ、シャフト孔４１７と同軸である１つまたは複数のディスク媒体４２０と、ディスク４２０間に位置決めされた、１つまたは複数のスペーサ４２１と、１つまたは複数のディスク媒体４２０の頂部ディスク上に配置された頂部スペーサ４２３と、を含む。読み取り／書き込みヘッド４３０が、ディスク媒体チャンバ４１３に配置され、かつ、１つまたは複数のディスク媒体４２０と相互に作用するように位置決めされる。これ以外の構成部品が、ディスク媒体ストレージシステム４００に含まれ得るが、わかり易くするために省略する。
【００３１】
この例では、ディスク媒体ストレージシステム４００は、図１〜３のただ一つのカバー１４０の代わりに、第１のカバー４４０および第２のカバー４５０を追加で含む。第１のカバー４４０は、媒体筐体構造４１０に封止して取り付けられている。第２のカバー４５０は、同様に媒体筐体構造４１０に封止して取り付けられ、第１のカバー４４０から距離を置いて配置されている。第１のカバー４４０は、ディスク媒体チャンバ４１３内に第１のチャンバ４４３を形成する。第１のカバー４４０および第２のカバー４５０は、一緒になってディスク媒体チャンバ４１３内に第２のチャンバ４５３を形成する。
【００３２】
図５は、図４のディスク媒体ストレージシステム４００のＢ−Ｂ断面図を示す。この例では、ディスク媒体ストレージシステム４００は、媒体筐体構造４１０と、媒体筐体構造４１０に形成された第１のチャンバ４４３と、媒体筐体構造４１０に形成された第２のチャンバ４５３と、を含む。スペーサ４２１は、個々のディスク媒体４２０間に位置決めされる。頂部スペーサ４２３は、１つまたは複数のディスク媒体４２０の頂部ディスク上に配置され、スペーサ４２１および頂部スペーサ４２３は、所定の間隔をあけて１つまたは複数のディスク媒体４２０を保持する。読み取り／書き込みヘッド４３０は、わかり易くするために示していない。
【００３３】
第１のカバー４４０は、媒体筐体構造４１０を封止し、ディスク媒体ストレージシステム４００を実質的に気密にするために、媒体筐体構造４１０に封止して取り付けられている。第１のカバー４４０は、肩部４１１すなわち側壁の突出した部分などの、媒体筐体構造４１０の側壁に取り付けることができる。この例では、非多孔性コーティング４１４が、第１のチャンバ４４３の１つまたは複数の内側表面上に形成されている。上述したように、封止された第１のチャンバ４４３は、所定の気体または混合気体で満たされる。すでに説明したように、非多孔性コーティング４１４は、第１のチャンバ４４３を、気体に対して実質的に非多孔性にする。所定の気体または混合気体は、媒体筐体構造４１０を通過して拡散することができない。すでに説明したように、非多孔性コーティング４１４は、媒体筐体構造４１０の１つまたは複数の外側表面上に代替的または追加的に形成することが可能である。
【００３４】
すでに説明したように、いくつかの例では、第１のカバー４４０は、媒体筐体構造４１０に、例えばレーザ溶接または任意の他の適切なタイプの溶接が可能である。溶接部４７０の大きさは、わかり易くするために図では誇張されている。さらに、いくつかの例では、溶接部４７０は、媒体筐体構造４１０および／または第１のカバー４４０からの材料で形成されてもよい。外部から供給された溶接材料を含まなくてもよい。この代わりに、シール（図示せず）を、媒体筐体構造４１０と第１のカバー４４０との間に位置決めすることができる。
【００３５】
さらに、いくつかの例では、非多孔性コーティング４１４を、第２のチャンバ４５３の１つまたは複数の内側表面上に任意で形成することができる。したがって、第２のチャンバ４５３もまた、所定の気体または混合気体に対して実質的に非多孔性であり得る。
【００３６】
第２のチャンバ４５３は、第１のチャンバ４４３内で封止されている気体または混合気体と同じ気体または混合気体で満たすことができる。この代わりに、第２のチャンバ４５３は、異なる気体または混合気体で満たすことができる。第２のチャンバ４５３は、第１のチャンバ４４３内の気体または混合気体と実質的に同じ圧力下にある気体または混合気体で満たすことができる。この代わりに、第２のチャンバ４５３内の気体または混合気体は、第１のチャンバ４４３内の気体または混合気体とは異なる圧力下にあることが可能である。
【００３７】
第２のカバー４５０もまた、媒体筐体構造４１０に取り付けられている。いくつかの例では、第２のカバー４５０は、第１のカバー４４０と同様に、媒体筐体構造４１０に封止して取り付けられる。第２のカバー４５０は、第１のカバー４４０から距離を置いて配置され、かつ、第１のカバー４４０と第２のカバー４５０との間に第２のチャンバ４５３を形成する。
【００３８】
空気および／または湿気が第１のチャンバ４４３に入り込んで、１つまたは複数のディスク媒体４２０（および／または他の電子部品）の酸化を引き起こす可能性を低減するために、第２のチャンバ４５３内の気体は、第１のチャンバ４４３内の気体と同じ圧力下にあるか、または異なる圧力下にあることが可能である。（第１のチャンバ４４３内の圧力が大気圧よりも低い場合か、または、はるかに低い場合のように）第２のチャンバ４５３内の気体の圧力が、第１のチャンバ４４３内の気体の圧力よりも高い場合には、第２のチャンバ４５３内の気体が外部へ流出する可能性が低くなる。同様に、第２のチャンバ４５３内の気体の圧力が大気圧と同等である（すなわち第２のチャンバ４５３内の低気体圧が、第２のチャンバ４５３と外部の空気との間の気圧傾度が比較的大きいことが原因で漏出を引き起こし易い）場合などでは、空気および／または湿気が第２のチャンバ４５３内に入り込む可能性が低くなる。
【００３９】
図６は、ステンレス鋼製（ＳＵＳ）カバープレートの、原子含有率対スパッタリング時間を示すグラフである。図は、炭素（Ｃ）および酸素（Ｏ）の両者についてのパーセント原子含量を示す。酸素レベルがかなり高いことを、グラフにおいて見ることができる。
【００４０】
図７は、炭素含有率が大幅に増加している、ＳＵＳカバープレートの別のグラフである。したがって、このシナリオでは酸素レベルが大幅に低下している。
【００４１】
好適な実施態様に関連して本発明を特に図示し説明したが、本発明の趣旨および範囲から逸脱せずに、形態および詳細における様々な変更をなし得ることが当業者によって理解されよう。したがって、開示される本発明は、単に例示的なものとして見なされ、添付の特許請求の範囲において特定される範囲においてのみ限定される。
【符号の説明】
【００４２】
１００  ディスク媒体ストレージシステム
１１０  媒体筐体構造
１１３  ディスク媒体チャンバ
１１４  非多孔性コーティング
１１６  スピンドル基部
１１７  シャフト孔
１１９  シャフト
１２０  ディスク媒体
１２１  スペーサ
１２３  頂部スペーサ
１３０  読み取り／書き込みヘッド
１４０  カバー
１７０  溶接部
４００  ディスク媒体ストレージシステム
４１０  媒体筐体構造
４１１  肩部
４１３  ディスク媒体チャンバ
４１４  非多孔性コーティング
４１６  スピンドル基部
４１７  シャフト孔
４２０  ディスク媒体
４２１  スペーサ
４２３  頂部スペーサ
４３０  読み取り／書き込みヘッド
４４０  第１のカバー
４４３  第１のチャンバ
４５０  第２のカバー
４５３  第２のチャンバ
４７０  溶接部
【図１】
2015201248.tif 000003
【図２】
2015201248.tif 000004
【図３】
2015201248.tif 000005
【図４】
2015201248.tif 000006
【図５】
2015201248.tif 000007
【図６】
2015201248.tif 000008
【図７】
2015201248.tif 000009
【外国語明細書】
2015201248000001.pdf